(57)【要約】【課題】ＰＥＴ樹脂製容器と一体に携行することができ、犬等が飲料等を飲みやすいペット飲用容器を提供する。【解決手段】市販飲料に使用される５００ｍｌＰＥＴボトルＰＢに取付可能なペット飲用容器１であって、ＰＥＴボトルの飲み口７１を螺合させて、または飲み口に螺合させた付属キャップを嵌入させてＰＥＴボトルと一体化させるための、内面が略円柱状である結合部１３と、内側に液状物を収容可能であって内側に結合部の一端を開口させる殻状の椀部１１と、結合部の軸心を含む仮想平面Ｈ−Ｊで２分された一方の側において結合部の軸心に直交する仮想平面Ｂ−Ｌ上で椀部の一部に連続し結合部から遠く離れる方向に拡がって軸心側が凹状である拡張部１２と、を有する。【選択図】    図１
2010168060.tif 000002
【特許請求の範囲】
【請求項１】
市販飲料に使用される５００ｍｌＰＥＴボトルに取付可能なペット飲用容器であって、
前記ＰＥＴボトルの飲み口を螺合させて、または前記飲み口に螺合させた付属キャップを嵌入させて前記ＰＥＴボトルと一体化させるための、内面が略円柱状である結合部と、
内側に液状物を収容可能であって前記内側に前記結合部の一端を開口させる殻状の椀部と、
前記結合部の軸心を含む仮想平面で２分された一方の側において前記結合部の軸心に直交する仮想平面上で前記椀部の一部に連続し前記結合部から遠く離れる方向に拡がって前記軸心側が凹状である拡張部と、を有する
ことを特徴とするペット飲用容器。
【請求項２】
前記結合部は、その全体が前記椀部の内側に形成され、
前記椀部の外面から外方に突出して突出する端部に外部と前記結合部の内側とを連通させる散水孔を備えた散水部を有する
請求項１に記載のペット飲用容器。
【請求項３】
前記散水部を覆い前記散水孔を塞ぐためのキャップ部材を備えた
請求項２に記載のペット飲用容器。
【請求項４】
前記椀部の外観形状が略半球である
請求項１ないし請求項３のいずれか１項に記載のペット飲用容器。
【発明の詳細な説明】
【技術分野】
【０００１】
本発明は、市販のＰＥＴボトル等の容器に取り付け可能な犬等に飲料を与えるためのペット飲用容器に関する。
【背景技術】
【０００２】
例えば、ペットの一種である犬は、一般に、１日のうち１回または複数回、屋外を散歩させる必要のあるものが多い。そして、特に夏等の外気温が高い季節には、散歩する犬は、水たまりの水または排水溝等の比較的汚れた水を飲むことがある。
飼い主は、家族同様の犬がこのような汚れた水を飲むことを快く思わないものと思われる。しかし、散歩の同伴者が、このようなことがないように、犬に飲ませるための水を携行することは極めて稀である。
その理由として、飲用水を携行することに思い至らないほかに、散歩に簡便に携帯できる適当な犬用の飲用容器がないという問題がある。
【０００３】
ところで、近年、５００ｍｌのＰＥＴ（ポリエチレンテレフタレート）樹脂製容器に充填されて販売されたスポーツドリンク、お茶およびジュース等が、外出時に頻繁に利用される。このように、多量に販売され軽便に利用されるＰＥＴ樹脂製容器には、その使用をより便利にするための種々の付属品が第三者によって用意されている。
この第三者によって用意された付属品の中には、例えば特許文献１および特許文献２に開示されたような、ＰＥＴ樹脂製容器に取り付けることができ、複数人でＰＥＴ樹脂製容器内の飲み物を衛生的に消費するためのカップがある。
【先行技術文献】
【特許文献】
【０００４】
【特許文献１】特開２００２−３４７７９６号公報
【特許文献２】特開２００２−３４７７６７号公報
【発明の概要】
【発明が解決しようとする課題】
【０００５】
このような、ＰＥＴ樹脂製容器に取り付けることができるカップは、例えば特許文献１および特許文献２に開示されたように、ＰＥＴ樹脂製容器と一体に携行することができ、利便性が高い。
しかし、特許文献１および特許文献２に開示されたようなカップは、人が使用することを前提としたものであり、舌を使用して液体を飲む犬等のペットには、突き出た鼻が邪魔するために応用し難いものであった。
本発明は、上述の問題に鑑みてなされたもので、ＰＥＴ樹脂製容器と一体に携行することができ、犬等が飲料等を飲みやすいペット飲用容器を提供することを目的とする。
【課題を解決するための手段】
【０００６】
本発明に係るペット飲用容器は、市販飲料に使用される５００ｍｌＰＥＴボトルに取付可能なペット飲用容器であって、前記ＰＥＴボトルの飲み口を螺合させて、または前記飲み口に螺合させた付属キャップを嵌入させて前記ＰＥＴボトルと一体化させるための、内面が略円柱状である結合部と、内側に液状物を収容可能であって前記内側に前記結合部の一端を開口させる殻状の椀部と、前記結合部の軸心を含む仮想平面で２分された一方の側において前記結合部の軸心に直交する仮想平面上で前記椀部の一部に連続し前記結合部から遠く離れる方向に拡がって前記軸心側が凹状である拡張部と、を有する。
【０００７】
好ましくは、前記結合部は、その全体が前記椀部の内側に形成され、前記椀部の外面から外方に突出して突出する端部に外部と前記結合部の内側とを連通させる散水孔を備えた散水部を有する。
好ましくは、前記ペット飲用容器は、前記散水部を覆い前記散水孔を塞ぐためのキャップ部材を備える。
美観にとって、前記椀部の外観形状を略半球とするのが好ましい。
【発明の効果】
【０００８】
本発明によると、ＰＥＴ樹脂製容器と一体に携行することができ、犬等が飲料等を飲みやすいペット飲用容器を提供することができる。
【図面の簡単な説明】
【０００９】
【図１】図１はペット飲用容器の正面断面図である。
【図２】図２はペット飲用容器を図１における右側から見た側面断面図である。
【図３】図３はペット飲用容器の正面図である。
【図４】図４は図１における右側面図である。
【図５】図５は図１における左側面図である。
【図６】図６はペット飲用容器の平面図である。
【図７】図７はキャップ部材の平面図である。
【図８】図８は図７におけるＡ−Ａ矢視断面図である。
【図９】図９は水を入れたペット飲用容器の断面図である。
【図１０】図１０は散水するペット飲用容器の断面図である。
【図１１】図１１はペット飲用容器における拡張部の概要を示す図である。
【図１２】図１２はペット飲用容器の他の携帯における正面図である。
【図１３】図１３は他の形態におけるペット飲用容器の正面断面図である。
【発明を実施するための形態】
【００１０】
図１はペット飲用容器１の正面断面図、図２はペット飲用容器１を図１における右側から見た側面断面図、図３はペット飲用容器１の正面図、図４は図１における右側面図、図５は図１における左側面図、図６はペット飲用容器１の平面図である。
ペット飲用容器１は、本体２および散水部３からなる。
本体２は、椀部１１、拡張部１２および結合部１３からなる。
椀部１１は、略半球殻状に形成された球殻部２１と、球殻部２１における円形の端縁（この「端縁」は実在しないので、以下「仮想端縁」という。）に連続する短い筒状の筒状部２２で形成されている。
【００１１】
球殻部２１は、その内面２３が、お茶またはスポーツドリンク等を充填して市販されている、ＰＥＴ樹脂製の断面が円形の５００ｍｌ容器（以下「ＰＥＴボトルＰＢ」という。）の外径、および断面が多角形のＰＥＴボトルにおける断面中心と頂角外面との距離のいずれよりも大きな曲率半径を有する球面状である。
筒状部２２は、その軸方向に拡がる仮想平面Ｉ−Ｐ（図６参照）で略２分した一方が円柱の周面状の内面２４ａであり、他方が仮想端面から離れるに従い内径が僅かに大きくなる円錐台の周面状の内面２４ｂである。この一方の内面２４ａと他方の内面２４ｂとの境界部分は、一方の形状から他方の形状に緩やかに変化している。
【００１２】
拡張部１２は、筒状部２２における円錐台の周面状の内面２４ｂをそのまま外方に拡大した、筒状部２２の軸心側が凹状となった、外観が円錐台状の筒の一部のような形状として形成される。この円錐台状の筒の一部のような形状は、詳細には、筒の最外方の端縁２５が、円錐台状の筒の軸心に対して直交する平面Ｒ−Ｐ（図１，２参照）に含まれ、最外方の端縁２５の両端から筒状部２２に至る端縁が、筒状部２２に近づくに従がって平面Ｒ−Ｐとの傾斜角度が大きくなる形状である。したがって、拡張部１２の端縁は、正面視（図３）において、楕円を４等分した形状に類似する。
【００１３】
椀部１１には、仮想端縁における拡張部１２から最も離れた位置に、キャップ支持部３１が設けられている。キャップ支持部３１は、支持部３２および抜け止め部３３で形成される。支持部３２は、拡張部１２から外方に突出する短い四角柱状の部分である。抜け止め部３３は、支持部３２の断面形状よりも大きな矩形板状で、支持部３２の突出端の周囲に張り出す部分である。キャップ支持部３１は、散水部３に設けられた散水孔４３，…，４３を塞ぐキャップ部材４を支持するためのものである。
仮想端縁上には、キャップ支持部３１と９０度直交する２つの位置に、持ち手を支持するための持ち手支持部３４，３４が設けられている。
【００１４】
結合部１３は、形状が略円筒状（したがって内面が略円柱状）である。結合部１３は、その軸心の延長線が球殻部２１の球心を通るようにして、本体２における椀部１１の内側
の最深部から椀部１１の内方に突出している。結合部１３の内面には、ＰＥＴボトルＰＢにおける飲み口７１の雄ネジを螺合可能な雌ネジが設けられている。
散水部３は、形状が上底のみ有する中空の円錐台である。ここで、「上底」とは、円錐台における２つの底面のうち面積が小さい方を指し、以下の説明における上底も同義である。なお、散水部３について上記した上底は、立体図形としての円錐台における上底ではなく、上底側端よりも若干内方に位置して開口部分を塞ぐものである。以下、この開口部分を塞ぐものを上底部４１という。散水部３においては、上底部４１側の端部に、上底部４１がその底（そこ）をなす凹みが形成されている。凹みの形状は上下が倒置された円錐台であって底における内径が最も小さい。
【００１５】
散水部３は、その軸心を結合部１３の軸心に一致させ、本体２から外方に突出させて本体２に一体化されている。散水部３の外面における本体２に近い部分には、外方に突出する環状の係止環４２が設けられている（図３〜６参照）。
上底部４１には、内側における開口径が大きく外側における開口径が小さな散水孔４３が複数設けられている。
ペット飲用容器１は、散水孔４３，…，４３によってその内方と外方とが連通する。ペット飲用容器１は、ポリエチレン、ポリプロピレン、メラミン樹脂またはフェノール樹脂等の合成樹脂により製作される。
【００１６】
ペット飲用容器１には、散水部３からの意図しないＰＥＴボトルＰＢ内容物の漏出を防止するためのキャップ部材４が取り付けられる。
図７はキャップ部材４の平面図、図８は図７におけるＡ−Ａ矢視断面図である。
キャップ部材４は、キャップ部１５およびベルト部１６からなる。
キャップ部１５は、上底に相当する部分が閉じられた中空の円錐台の形状を有する。上底を閉じる部分には、散水部３における凹みの形状に略等しい円錐台形状の止水部５１が、内方に突出する。止水部５１は、ペット飲用容器１における散水部３の上底側の凹みにぴったりと嵌め込み可能である。
【００１７】
キャップ部材４の上底には、止水部５１の開口の廻りを囲むように、環状の飾り環５２が設けられている。
キャップ部材４は、止水部５１が散水部３の凹みに嵌り込んだときに、同時にその他の内面が散水部３の外面に略密着して覆い被さる形状に設計される。キャップ部材４における下底近傍の内面には、１８０度離れて対向する位置に、周方向に所定の範囲伸びて適度に突出する２つの帯状の係合帯５３，５３が設けられている。
ベルト部１６は、細長い帯状を呈する帯部５４および取付部５５からなる。帯部５４は、一端がキャップ部材４の下底近傍に連続する。帯部５４の他端は、本体２に取り付けるための取付部５５と連続する。取付部５５は、帯部５４よりも幅が広く、その表裏を貫通する取付孔５６が設けられている。取付孔５６は、長さ（図７における横方向寸法）がペット飲用容器１における抜け止め部３３の長手方向長さに略等しく、幅が支持部３２の幅（図４における横方向寸法）よりも大きく抜け止め部３３の幅（図４における横方向寸法）よりも小さい。
【００１８】
キャップ部材４は、キャップ部１５におけるベルト部１６に連続する部分から１８０度離れた部分に、取っ手５７が設けられている。
キャップ部材４は、適度な可撓性を有するポリエチレンまたはポリプロピレン等の樹脂により製作される。
キャップ部材４は、取付孔５６にペット飲用容器１の抜け止め部３３を貫通させてペット飲用容器１に取り付けられる（図１参照）。キャップ部１５は、止水部５１が散水孔４３，…，４３の外方への開口部分を塞ぎ、散水部３からの意図しないＰＥＴボトルＰＢ内容物の漏出を防止するために、散水部２に被せられる。散水部３に被せられたキャップ部１５は、係合帯５３，５３が係止環４２に係止されて、意図しない散水部３からの脱落が防止される。
【００１９】
ペット飲用容器１の２つの持ち手支持部３４，３４には、散歩のとき等の携行に便利な持ち手（ベルト）を取り付けることができる。
ペット飲用容器１のＰＥＴボトルＰＢへの取り付けは、市販時にＰＥＴボトルＰＢに付属するキャップを外し、飲み口７１の雄ネジを結合部１３の雌ネジに螺合させることにより行われる。
図９は水Ｗａを入れたペット飲用容器１の断面図である。
図９に示されるように、ペット飲用容器１は、拡張部１２を有することにより、例えば犬が水Ｗａを飲みやすいように傾けたときにも、ペット飲用容器が拡張部１２を有しない場合に比べて極めて多くの水Ｗａを入れることができる。
【００２０】
また、ペット飲用容器が拡張部１２を有しない場合には、その開口部分の面積が小さく、犬の突き出た鼻が開口部分に当たって水Ｗａを飲みにくい。これに対して、拡張部１２を有するペット飲用容器１は、開口部分の面積が大きく、犬は鼻が邪魔することなく容易に水Ｗａを飲むことができる。
図１０は散水するペット飲用容器１の断面図である。
ペット飲用容器１は、散歩等において犬が他人の家の門柱等にしたオシッコを洗い流すときに使用することができる。オシッコを洗い流すときは、ペット飲用容器１の散水部３を覆うキャップ部材４を取り外し、図１０に示されるように、散水部３を目標部分に向けた後にＰＥＴボトルＰＢを手で圧迫する。圧迫されたＰＥＴボトルＰＢは、内部の圧力が高まり、充填された水Ｗａが散水孔４３，…，４３から押し出され、オシッコは噴出する水Ｗａに洗い流される。散水部３からの散水は、散歩時における糞を取り除いた後の道路等の洗浄にも効果的である。
【００２１】
このように、ペット飲用容器１は、内容物を消費した後のＰＥＴボトルＰＢと組み合わせることにより、犬の散歩の際に生ずる種々の事態に対応することができる。
図１１はペット飲用容器１における拡張部１２の概要を示す図である。
拡張部１２は、上に説明したように、ペット飲用容器１における端縁の開口面積を大きくして、例えば犬が水等の液体を飲むときに飲みやすくする効果がある。このような効果を有する拡張部１２は、以下に規定されるように形成されるのが好ましい。
すなわち、図１１を参照して、拡張部１２は、略円筒状の結合部１３の軸心を含む仮想平面Ｈ−Ｊで２分された一方の側において、結合部１３の軸心側が凹状となって、（本体２から）結合部１３の軸方向における外方（結合部１３から遠く離れる方向、図１１においては下方）に拡がる。
【００２２】
また、拡張部１２は、仮想平面Ｈ−Ｊに対して４５度傾斜し、結合部１３の突出端における円形の端縁３５に１点Ｆで接する仮想平面Ｓ−Ｄと、仮想平面Ｈ−Ｊと、が交差する位置Ｃよりも、結合部１３の軸方向における外方に拡がる部分に形成される。
ペット飲用容器１における拡張部１２は、結合部１３の軸心に直交する仮想平面Ｂ−Ｌ上で椀部１１（の一部）に連続し、結合部から遠く離れる方向に拡がる部分である。
椀部１１における、図１１に示される仮想平面Ｈ−Ｊの右側でかつ仮想平面Ｓ−Ｄよりも下側の部分は、犬が舌で水を飲むときに飛び跳ねる水によって飼い主の手がぬれることを防止するはたらきをする。
【００２３】
なお、市販されるＰＥＴボトルＰＢの飲み口７１および飲み口７１に設けられた雌ネジの大きさは、市販される飲料水の製造者に依らずいずれも略同一であり、飲み口７１を螺合させるための結合部１３の大きさも、飲み口７１および雌ネジの大きさにより制限される。したがって、結合部１３の大きさにより、拡張部１２を規定することが可能である。
図１２は、上記のように規定された範囲に拡張部１２Ｂが設けられたペット飲用容器１Ｂの正面図である。ペット飲用容器１Ｂでは、椀部１１Ｂは、半球殻からさらにその４等分された１つが取り去られた形状を有する。拡張部１２Ｂは、その端縁が、椀部１１Ｂにおける仮想平面Ｈ−Ｊに対して４５度傾斜する端縁に正面視（図１２）において直線で連続して、結合部１３の軸方向における外方に拡がる。
【００２４】
このような仮想平面Ｓ−Ｄ上に本体２Ｂの端縁を有するペット飲用容器１Ｂは、結合部１３の軸に直交する仮想平面Ｐ−Ｌ上に端縁を有するペット飲用容器に比べて、開口部分の面積が大きく、例えば鼻が比較的短い犬種にとって水を飲みやすい。
ペット飲用容器１Ｂは、椀部１１Ｂに、ＰＥＴボトルＰＢと螺合させるときの掴み所が
少ないことから、椀部１１Ｂを、ペット飲用容器１における椀部１１と同様に、半球殻状としてもよい。
ペット飲用容器１，１Ｂにおける拡張部１２，１２Ｂの、結合部１３の軸方向外方への拡がりの程度（軸方向長さ）については制限されないが、過度に大きくしても利便性は増加せず、ＰＥＴボトルＰＢと一体化したときの美観等を考慮して、その形状が決定される。
【００２５】
図１３は他の形態におけるペット飲用容器１Ｃの正面断面図である。
ペット飲用容器１Ｃは、本体２Ｃのみからなる。
本体２Ｃは、椀部１１、拡張部１２および結合部１３Ｃからなる。
椀部１１および拡張部１２等の構成はペット飲用容器１におけるものと略同一であり、その説明を省略し、図１３においてペット飲用容器１におけるものと同一の符合を付す。
結合部１３Ｃは、略円筒状である。結合部１３Ｃは、その軸心の延長線が球殻部２１の球心を通り、一端が椀部１１の内側の最深部に開口して、全体として椀部１１から外方に突出している。結合部１３Ｃは、内面に、ＰＥＴボトルＰＢにおける飲み口７１の雄ネジを螺合可能な雌ネジが設けられている。結合部１３Ｃの突出する他端は閉じられ、閉じられた部分には、結合部１３Ｃの内外を貫通する散水孔４３が複数設けられている。ペット飲用容器１Ｃにおける結合部１３Ｃは、通常は専用のキャップ部材のキャップ部で覆われて、散水孔４３，４３，４３の外側開口が閉じられる。結合部１３Ｃは、ペット飲用容器１における散水部３の機能も有する。
【００２６】
ペット飲用容器１Ｃの拡張部１２は、以下に規定されるように形成されるのが好ましい。
図１３を参照して、拡張部１２は、略円筒状の結合部１３の軸心を含む仮想平面Ｈ−Ｊで２分された一方の側において、椀部１１の端縁から結合部１３Ｃの軸方向において結合部１３Ｃから遠く離れる方向に拡がる。
また、拡張部１２は、仮想平面Ｈ−Ｊに対して４５度傾斜し、結合部１３Ｃの（円柱周面状の）内面を、その高さｔと同じ長さｔだけ椀部１１の内方に延長したときの円形の端縁３５Ｃに１点Ｆで接する仮想平面Ｓ−Ｄと、仮想平面Ｈ−Ｊと、が交差する位置Ｃよりも、結合部１３Ｃの軸方向における外方に拡がる部分に形成される。
【００２７】
上述の実施形態において、ペット飲用容器１，１Ｂ，１Ｃにおける球殻部２１を、その外観が略半球状ではなく、正多角錐台、円柱または正多角柱等の他の形状としてもよい。球殻部２１は、結合部１３にＰＥＴボトルＰＢを一体化する妨げにならないものであれば、その形状は制限されない。
椀部１１を、筒状部２２を有さない、球殻部２１に拡張部１２が直接連続する形状としてもよい。また、椀部１１Ｂを、図１２に示されるように、端縁が平面内になく立体的となるものとすることができる。
【００２８】
拡張部１２の形状および大きさは、結合部１３，１３ＣにＰＥＴボトルＰＢを一体化する妨げにならないものであれば、制限されない。
結合部１３，１３Ｃを、内面にＰＥＴボトルＰＢの飲み口７１に螺合可能な雌ネジを設けたものでなく、飲み口７１に市販時のキャップを取り付けた状態でキャップを嵌め入れてＰＥＴボトルＰＢに一体化させる構造としてもよい。
ペット飲用容器１，１Ｂを、散水部３を有しないものとして形成することができる。その場合、ペット飲用容器は、図１〜５，１２において円錐台の形状を有して上方へ突出する部分を有さず、結合部１３の上端は閉じられて、ＰＥＴボトルＰＢへの装着時における内容物の流出が防止される。また、ペット飲用容器１Ｃを、結合部１３Ｃに散水孔４３，４３，４３を設けないものとしてもよい。その場合、散水孔４３を閉じるためのキャップ部材は不要である。
【００２９】
散水部３の外観形状を、円錐台以外の他のものとしてもよい。例えば、角錐台または直方体等の種々の形状を採用することができる。
ペット飲用容器１，１Ｂ，１Ｃの取り付け対象は、５００ｍｌの容器に限られない。他の容量の容器に取り付けるペット飲用容器は、取り付けるための容器の大きさおよび形状
により、各部の形状および大きさが設計される。
ペット飲用容器１，１Ｂにおける結合部１３および散水部３、ならびにペット飲用容器１Ｃにおける結合部１３Ｃは、いずれもその軸心および／またはその延長線が平面視における椀部１１の略中心（図６参照）および球殻部２１の球心を通るように形成される。しかし、ペット飲用容器１，１Ｂ，１ＣをＰＥＴボトルＰＢに一体化するのに支障がなく、かつ犬等の水飲み等が容易に行える範囲で、結合部１３、散水部３、および結合部１３Ｃを、その軸心が、平面視における椀部１１の略中心および球殻部２１の球心から若干外れた位置となるように形成してもよい。
【００３０】
その他、ペット飲用容器１，１Ｂ，１Ｃ、およびペット飲用容器１，１Ｂ，１Ｃの各構成または全体の構造、形状、寸法、個数、材質などは、本発明の趣旨に沿って適宜変更することができる。
【産業上の利用可能性】
【００３１】
本発明は、ＰＥＴ樹脂製容器と一体に携行することができるペット飲用容器に利用することができる。
【符号の説明】
【００３２】
１，１Ｂ，１Ｃ  ペット飲用容器
３  散水部
４  キャップ部材
１１，１１Ｂ  椀部
１２，１２Ｂ  拡張部
１３，１３Ｃ  結合部
２１  椀部（球殻部）
４３  散水孔
７１  飲み口
ＰＢ  ５００ｍｌＰＥＴボトル
Ｈ−Ｊ  結合部の軸心を含む仮想平面
Ｂ−Ｌ  結合部の軸心に直交する仮想平面
【図１】
2010168060.tif 000003
【図２】
2010168060.tif 000004
【図３】
2010168060.tif 000005
【図４】
2010168060.tif 000006
【図５】
2010168060.tif 000007
【図６】
2010168060.tif 000008
【図７】
2010168060.tif 000009
【図８】
2010168060.tif 000010
【図９】
2010168060.tif 000011
【図１０】
2010168060.tif 000012
【図１２】
2010168060.tif 000013
【図１１】
2010168060.tif 000014
【図１３】
2010168060.tif 000015